(57)【特許請求の範囲】
【請求項１】
１又は複数の２次電池が収納されたバツテリパツクであつて、
上記１又は複数の２次電池の端子間電圧に応じた表示用駆動電圧を発生する駆動手段と、
反射型液晶でなり、上記表示用駆動電圧が印加される電極領域と、上記端子間電圧が所定の識別すべき電圧であるときの液晶の透過率に対応した濃度のフイルタが重ねられた無電極領域とを有する表示部と
を具えることを特徴とするバツテリパツク。
【請求項２】
１又は複数の２次電池が収納されたバツテリパツクを駆動電源とする電子機器であつて、
上記バツテリパツクの端子間電圧に応じた表示用駆動電圧を発生する駆動手段と、
反射型液晶でなり、上記表示用駆動電圧が印加される電極領域と、上記端子間電圧が所定の識別すべき電圧であるときの液晶の透過率に対応した濃度のフイルタが重ねられた無電極領域とを有する表示部と
を具えることを特徴とする電子機器。
【発明の詳細な説明】
【０００１】
【目次】
以下の順序で本発明を説明する。
産業上の利用分野
従来の技術
発明が解決しようとする課題
課題が解決するための手段（図１及び図１０）
作用（図１及び図１０）
実施例（図１〜図１０）
発明の効果
【０００２】
【産業上の利用分野】
本発明はバツテリパツク及び小型電子機器に関し、特に２次電池の残量表示部を有するものに適用して好適なものである。
【０００３】
【従来の技術】
従来、リチウムイオン等の２次電池は小型携帯用機器に広く用いられている。２次電池を用いる小型携帯用機器やバツテリパツク等には、２次電池の使用状態を示す残量表示部が設けられているものもある。
【０００４】
【発明が解決しようとする課題】
ところが、２次電池を用いる小型携帯用機器等の全てのバツテリに残量表示が有る訳ではない。このため急な使用に際しては、その都度２次電池の端子電圧を測定しないと、残量がどの位なのか識別することができないという欠点がある。
【０００５】
またニツカド系２次電池でＬＥＤによる残量表示部を有する製品がある。ところが、ＬＥＤの場合、駆動電力損失の増加が避け難い。このため、ＬＥＤの駆動に用いるマイクロコンピユータ分も含めて、コストが増加してしまうという問題がある。
【０００６】
本発明は以上の点を考慮してなされたもので、コスト及び消費電力を低下し、残量及びフル充電状態を表示し得るバツテリパツク及び小型電子機器を提案しようとするものである。
【０００７】
【課題を解決するための手段】
かかる課題を解決するため本発明においては、１又は複数の２次電池（４）が収納されたバツテリパツク（３０）において、１又は複数の２次電池の端子間電圧に応じた表示用駆動電圧を発生する駆動手段（２）と、反射型液晶でなり、表示用駆動電圧が印加される電極領域と、端子間電圧が所定の識別すべき電圧であるときの液晶の透過率に対応した濃度のフイルタ（１２）が重ねられた無電極領域とを有する表示部（３）とを設けるようにした。
【０００８】
また本発明においては、１又は複数の２次電池（４）が収納されたバツテリパツク（３０）を駆動電源とする電子機器において、バツテリパツク（３０）の端子間電圧に応じた表示用駆動電圧を発生する駆動手段（２）と、反射型液晶でなり、表示用駆動電圧が印加される電極領域と、端子間電圧が所定の識別すべき電圧であるときの液晶の透過率に対応した濃度のフイルタ（１２）が重ねられた無電極領域とを有する表示部（３）とを設けるようにした。
【０００９】
【作用】
端子間電圧が所定の識別すべき電圧であるときの液晶の透過率に対応した濃度のフイルタ（１２）を、反射型液晶でなる表示部（３）の無電極領域に重ねるようにしたことにより、簡易な構成かつ低消費電力で、バツテリパツク（３０）の充電状態を表示し得る。
【００１０】
【実施例】
以下図面について、本発明の一実施例を詳述する。
【００１１】
図１に本発明の２次電池残量表示システム１を示す。
２次電池残量表示システム１は液晶駆動回路２と液晶表示部３とでなつている。この液晶駆動回路２は、２次電池４の端子電圧に応じた駆動信号が液晶表示部３へと出力される。
【００１２】
液晶駆動回路２の構成例を図２に示す。この液晶駆動回路２はＣＭＯＳインバータ５を有している。２次電池４の正極、負極電圧ＶB は分圧回路Ｒ1 、Ｒ2 によつて分圧される。この電圧はＣＭＯＳインバータ５を用いた無安定マルチバイブレータの電源電圧としてＶDD〜ＶSS間に供給され、この後液晶表示用の駆動電圧出力Ｖdispを得る。
【００１３】
この駆動電圧出力Ｖdispは、次式
【数１】
0003666673.tif 000002
で求めらる。ここでＣＭＯＳの消費電流は数〔μＡ〕以下であるため、（１）式のＲ1 ＋Ｒ2 を任意の値とすることで液晶駆動回路２全体の消費電流は２次電池４の自己放電電流以下に容易に設定できる。
【００１４】
図３に２次電池４の放電特性を示す。２次電池４の使用設定がＶB1〜ＶB2の範囲である場合、液晶駆動回路２によつて反転された駆動交流出力Ｖdisp１〜Ｖdisp２の出力が液晶表示部３の透明電極部に印加されるようになされている。
【００１５】
図４に表示液晶の電圧対透過率特性曲線を示す。この特性曲線は、透過タイプの（ノーマリーホワイトＴＮ液晶）特性を示すものである。この図４からわかるように、２次電池４の電圧ＶB1〜ＶB2に応じて液晶表示電圧がＶdisp１〜Ｖdisp２に変化すると、液晶表示電圧Ｖdisp１〜Ｖdisp２に対応する液晶の透過率がＴ1 〜Ｔ2 へ変化する。この特性を用いて液晶表示部３の濃度フイルタを決める。
【００１６】
次に２次電池４の残量表示例を図５及び図６に示す。図５（Ａ）はセグメント表示の一例である。使用電圧範囲ＶB1〜ＶB2の間に複数のセグメント１０を設け、この配設位置によつて残量を表示するようになされている。ここで示される各セグメント１０を拡大したものを図５（Ｂ）に示す。セグメント１０は透明電極部１１と、透明電極部１１と隣接又はとり囲む濃度フイルタ１２からなつている。
【００１７】
ちなみに透明電極部１１をとり囲む濃度フイルタ１２は、Ｖdisp電圧に対応する濃度に設定する。例えば、図４に示す特性においてＶdisp１を表示する場合、透過率Ｔ1 に対応する反射光を与える濃度フイルタ１２を貼り合わせる。このためセグメント１０を表示する電圧に２次電池４の電圧が等しくなつた時、セグメント１０内の反射率は濃度フイルタ１２と透明電極部１１の見分けがつかなくなる。
【００１８】
図６（Ａ）〜（Ｄ）は２次電池４の残量表示の表示状態例を示す。これは水平方向での残量のポジシヨン表示例である。図６（Ａ）はバツテリ電圧がＶB1、すなわちフル充電時の表示状態を示し、図６（Ｂ）及び（Ｃ）はバツテリ電圧の残量がある時の表示状態を示す。また図６（Ｄ）はバツテリ電圧がＶB2、すなわち放電終了時の表示状態を示す。
【００１９】
４つのセグメント１０ａ〜１０ｄからなる液晶表示部は、それぞれ異なる濃度の濃度フイルタ１２ａ〜１０ｄを有している。４つのセグメント１０ａ〜１０ｄのうち、一端のセグメント１０ａの濃度フイルタ１２ａの濃度をフル充電時に対応させ、他端のセグメント１０ｄの濃度フイルタ１２ｄの濃度を放電終了時に対応させる。一端の濃度フイルタ１２ａから他端への濃度フイルタ１２ｄへ配列順に濃度を変化させている。このためセグメント１０の濃度フイルタ１２と透明電極部１１が等しくなることでバツテリ電圧の状態を識別することができる。
【００２０】
例えば透明電極部１１で表示パターンや文字を表示した場合にそのパターン文字が読み取れない状態になる。これらの表示例を図７に示す。図７（Ａ）はパターン表示例を示し、図７（Ｂ）は文字による表示例を示す。いずれも透明電極部１１の回りの濃度フイルタ１２の濃度を放電終了時の電圧に対応させておく。このため、表示が濃い時に充電された状態を表し、表示が薄くなり、読めなくなると放電終了状態を示す。
【００２１】
以上の構成によれば、液晶駆動回路２からの駆動信号に応じて液晶表示部３を表示することにより、２次電池４の自己放電電流以下の低消費電力及び低コストで残量表示できる。
【００２２】
なお上述の実施例においては、液晶駆動回路２の駆動用矩形波発振回路としてＣＭＯＳインバータ５を用いるものについて述べたが、本発明はこれに限らず、駆動用矩形波発振回路であればＣＭＯＳインバータ５以外を用いても良い。
【００２３】
また上述の実施例においては、２次電池電圧ＶB を分圧回路Ｒ1 、Ｒ2 を通して無安定マルチバイブレータ発振回路に与える液晶駆動回路２について述べたが、本発明はこれに限らず、例えば図８に示す液晶駆動回路２０のように、２次電池電圧ＶB を無安定マルチバイブレータ発振回路を通して直接無安定マルチを発振させ、その出力に分圧回路２１を挿入するようにしても良い。この場合、分圧回路２１の分圧比を任意な値とできるため、図６に示した複数セグメントによる表示には最適である。
【００２４】
さらに上述の実施例においては、放電スタート電圧ＶB1と終了電圧ＶB2の差があるものについて述べたが、本発明はこれに限らず、放電スタート電圧ＶB1と終了電圧ＶB2の差が小さすぎて充分に液晶の反射率を変化させ得ない場合、図９に示すように昇圧回路２２を併用すると良い。この場合、昇圧比ｎと分圧回路２１を適切に選択することにより、さらに広範囲な表示の自由度が得られる。また駆動回路２内でＶdisp発生中に温度補償回路を付加することにより、図４で示す電圧対透過率特性の温度特性をキヤンセルし、温度に対してより安定な残量表示をすることができる。
【００２５】
また上述の実施例においては、液晶駆動回路２と液晶表示部３とからなる２次電池残量表示システム１について述べたが、本発明はこれに限らず、図１０（Ａ）〜（Ｃ）に示すような２次電池残量表示システム１を有するバツテリパツク３０や小型電子機器等でも同様の効果を得ることができる。
【００２６】
【発明の効果】
上述のように本発明によれば、端子間電圧が所定の識別すべき電圧であるときの液晶の透過率に対応した濃度のフイルタを、反射型液晶でなる表示部の無電極領域に重ねるようにしたことにより、簡易な構成かつ低消費電力で、バツテリパツクの充電状態を表示し得るバツテリパツク及び電子機器を実現し得る。
【図面の簡単な説明】
【図１】本発明の一実施例による２次電池残量表示システムの構成を示す接続図である。
【図２】図１の２次電池残量表示システム内の液晶駆動回路の構成を示す接続図である。
【図３】２次電池放電特性の説明に供する特性曲線図である。
【図４】液晶の電圧対透過率特性の説明に供する特性曲線図である。
【図５】２次電池残量表示の表示例を示す略線図である。
【図６】２次電池残量表示の表示例を示す略線図である。
【図７】単一セグメントの表示例を示す略線図である。
【図８】他の液晶駆動回路の構成を示す接続図である。
【図９】その他の液晶駆動回路の構成を示す接続図である。
【図１０】２次電池残量表示システムを有するバツテリパツクを示す略線図である。
【符号の説明】
１……２次電池残量表示システム、２、２０……液晶駆動回路、３……液晶表示部、４……２次電池、５……ＣＭＯＳインバータ、１０……セグメント、１１……透明電極部、１２……濃度フイルタ、２１……分圧回路、２２……昇圧回路、３０……バツテリパツク。
【図１】
0003666673.tif 000003
【図３】
0003666673.tif 000004
【図４】
0003666673.tif 000005
【図２】
0003666673.tif 000006
【図５】
0003666673.tif 000007
【図６】
0003666673.tif 000008
【図７】
0003666673.tif 000009
【図８】
0003666673.tif 000010
【図９】
0003666673.tif 000011
【図１０】
0003666673.tif 000012